(57)【要約】【課題】ユーザ端末への着信や受信したメッセージに関する情報をユーザにわかりやすく通知すること。【解決手段】表示部を備える表示装置と、ユーザによって携帯される小型受信装置との距離に応じて、ユーザに通知する情報を含む通知情報を送信する前記表示装置を判定する送信先判定部と、前記送信先判定部によって送信先と判定された前記表示装置に前記通知情報を送信するメッセージ送信部と、を備える。【選択図】図４
2014053692.tif 000002
【特許請求の範囲】
【請求項１】
表示部を備える表示装置と、ユーザによって携帯される小型受信装置との距離に応じて、ユーザに通知する情報を含む通知情報を送信する前記表示装置を判定する送信先判定部と、
前記送信先判定部によって送信先と判定された前記表示装置に前記通知情報を送信するメッセージ送信部と、
を備えることを特徴とする情報送信装置。
【請求項２】
前記送信先判定部は、
前記表示装置が前記小型受信装置から受信する無線通信の受信信号強度に応じて、前記通知情報を送信する前記表示装置を判定することを特徴とする請求項１に記載の情報送信装置。
【請求項３】
前記情報送信装置が受信した情報、前記受信した情報の送信元、あるいは電話の着信相手に応じて、前記通知情報の通知態様を決定する表示内容決定部をさらに備えることを特徴とする請求項１または２に記載の情報送信装置。
【請求項４】
前記送信先判定部は、
前記情報送信装置が複数の前記表示装置と無線通信で接続されている場合、前記複数の表示装置のうち、前記小型受信装置と最も近い前記表示装置に対して前記通知情報を送信すると判定することを特徴とする請求項１から３のうちいずれか一項に記載の情報送信装置。
【請求項５】
前記送信先判定部は、
前記情報送信装置が複数の前記表示装置と無線通信で接続されている場合、前記表示装置と前記小型受信装置との距離に応じて、複数の前記表示装置に前記通知情報を送信すると判定することを特徴とする請求項１から４のうちいずれか一項に記載の情報送信装置。
【請求項６】
前記メッセージ送信部は、
前記表示装置と前記小型受信装置との距離に応じて異なる前記通知情報を、前記複数の表示装置に送信することを特徴とする請求項５に記載の情報送信装置。
【請求項７】
前記メッセージ送信部は、
前記表示装置と前記小型受信装置との距離に応じた大きさで前記通知情報を前記表示装置に表示させるための情報を、前記複数の表示装置に送信することを特徴とする請求項５に記載の情報送信装置。
【請求項８】
前記送信先判定部は、
前記情報送信装置と前記小型受信装置とが通信できない状態である場合に、前記表示装置と前記小型受信装置との距離に応じて、前記通知情報を送信する前記表示装置を判定することを特徴とする請求項１から７のうちいずれか一項に記載の情報送信装置。
【請求項９】
前記メッセージ送信部は、
前記情報送信装置と前記小型受信装置とが通信できる状態である場合、前記表示装置に前記通知情報を表示するか否かを確認する確認画面を前記小型受信装置に送信し、
前記確認画面を介して前記表示装置に前記通知情報を表示する承認を受け付けた前記小型受信装置から、前記表示装置に前記通知情報を表示することを示す情報を受信した場合、前記送信先判定部によって送信先と判定された前記表示装置に前記通知情報を送信することを特徴とする請求項１から８のうちいずれか一項に記載の情報送信装置。
【請求項１０】
前記メッセージ送信部は、
前記送信先判定部によって送信先と判定された前記表示装置に前記通知情報を送信する場合、前記表示装置に前記通知情報が表示されることを報知させるための報知情報を前記小型受信装置に送信することを特徴とする請求項１から９のうちいずれか一項に記載の情報送信装置。
【請求項１１】
情報送信装置が、
表示部を備える表示装置と、ユーザによって携帯される小型受信装置との距離に応じて、ユーザに通知する情報を含む通知情報を送信する前記表示装置を判定する送信先判定ステップと、
前記送信先判定ステップにおいて送信先と判定された前記表示装置に前記通知情報を送信する送信ステップと、
を備えることを特徴とする情報送信方法。
【請求項１２】
コンピュータを、
表示部を備える表示装置と、ユーザによって携帯される小型受信装置との距離に応じて、ユーザに通知する情報を含む通知情報を送信する前記表示装置を判定する送信先判定手段、
前記送信先判定手段によって送信先と判定された前記表示装置に前記通知情報を送信する送信手段
として機能させるためのプログラム。
【発明の詳細な説明】
【技術分野】
【０００１】
本発明は、情報送信装置、情報送信方法、およびプログラムに関する。
【背景技術】
【０００２】
近年、家庭内では、Ｗｉ−Ｆｉ（登録商標）等の無線ＬＡＮを介して複数の電子機器同士を接続する環境が整い始めている。例えば、携帯電話端末、テレビ、およびＰＣ（パーソナルコンピュータ）等を無線ＬＡＮで接続することにより、互いの情報を共有することができる。
また、腕時計型やクリップ型の小型受信装置であってユーザが身に付けるタイプの電子機器も開発されてきている。ユーザが自宅内にいる場合、Ｂｌｕｅｔｏｏｔｈ（登録商標）等の無線通信を介して、この小型受信装置と携帯電話端末を通信接続することができる。
しかし、自宅のような環境において、ユーザは携帯電話端末を常に持ち歩いているとは限らない。このため、普及が期待される小型受信装置を用いて、携帯電話端末がメールを受信した場合、受信したメールをユーザが身に付けている小型受信装置に転送することにより、ユーザは、小型受信装置を介して受信メールを確認することができる。
例えば、複数の無線通信端末と同時に通信可能な無線通信環境下で、受信した信号の信号受信強度（以降、電波強度と記載）に応じて通信相手を特定する無線通信装置がある（例えば、特許文献１参照）。
【先行技術文献】
【特許文献】
【０００３】
【特許文献１】特開２００３−１８８８８６号公報
【発明の概要】
【発明が解決しようとする課題】
【０００４】
しかしながら、携帯電話端末と小型受信装置との通信状態が悪い場合、携帯電話端末が受信したメールを小型受信装置に転送できない場合がある。また、携帯電話端末が受信したメールを小型受信装置に転送できた場合であっても、小型受信装置の表示画面が小さいため見にくくなってしまうおそれがある。
【０００５】
そこで、本発明は上記従来技術の欠点に鑑みてなされたものであり、ユーザ端末への着信や受信した情報等をユーザにわかりやすく通知することができる情報送信装置、情報送信方法、およびプログラムを提供することにある。
【課題を解決するための手段】
【０００６】
この発明は上述した課題を解決するためになされたもので、本発明の一態様による情報送信装置は、表示部を備える表示装置と、ユーザによって携帯される小型受信装置との距離に応じて、ユーザに通知する情報を含む通知情報を送信する前記表示装置を判定する送信先判定部と、前記送信先判定部によって送信先と判定された前記表示装置に前記通知情報を送信するメッセージ送信部と、を備える。
【０００７】
また、上述の本発明の一態様による情報送信装置において、前記送信先判定部は、前記表示装置が前記小型受信装置から受信する無線通信の受信信号強度に応じて、前記通知情報を送信する前記表示装置を判定する。
【０００８】
また、上述の本発明の一態様による情報送信装置は、前記情報送信装置が受信した情報、前記受信した情報の送信元、あるいは電話の着信相手に応じて、前記通知情報の通知態様を決定する表示内容決定部をさらに備える。
【０００９】
また、上述の本発明の一態様による情報送信装置において、前記送信先判定部は、前記情報送信装置が複数の前記表示装置と無線通信で接続されている場合、前記複数の表示装置のうち、前記小型受信装置と最も近い前記表示装置に対して前記通知情報を送信すると判定する。
【００１０】
また、上述の本発明の一態様による情報送信装置において、前記送信先判定部は、前記情報送信装置が複数の前記表示装置と無線通信で接続されている場合、前記表示装置と前記小型受信装置との距離に応じて、複数の前記表示装置に前記通知情報を送信すると判定する。
【００１１】
また、上述の本発明の一態様による情報送信装置において、前記メッセージ送信部は、前記表示装置と前記小型受信装置との距離に応じて異なる前記通知情報を、前記複数の表示装置に送信する。
【００１２】
また、上述の本発明の一態様による情報送信装置において、前記メッセージ送信部は、前記表示装置と前記小型受信装置との距離に応じた大きさで前記通知情報を前記表示装置に表示させるための情報を、前記複数の表示装置に送信する。
【００１３】
また、上述の本発明の一態様による情報送信装置において、前記送信先判定部は、前記情報送信装置と前記小型受信装置とが通信できない状態である場合に、前記表示装置と前記小型受信装置との距離に応じて、前記通知情報を送信する前記表示装置を判定する。
【００１４】
また、上述の本発明の一態様による情報送信装置において、前記メッセージ送信部は、前記情報送信装置と前記小型受信装置とが通信できる状態である場合、前記表示装置に前記通知情報を表示するか否かを確認する確認画面を前記小型受信装置に送信し、前記確認画面を介して前記表示装置に前記通知情報を表示する承認を受け付けた前記小型受信装置から、前記表示装置に前記通知情報を表示することを示す情報を受信した場合、前記送信先判定部によって送信先と判定された前記表示装置に前記通知情報を送信する。
【００１５】
また、上述の本発明の一態様による情報送信装置において、前記メッセージ送信部は、前記送信先判定部によって送信先と判定された前記表示装置に前記通知情報を送信する場合、前記表示装置に前記通知情報が表示されることを報知させるための報知情報を前記小型受信装置に送信する。
【００１６】
この発明は上述した課題を解決するためになされたもので、本発明の一態様による情報送信方法は、情報送信装置が、表示部を備える表示装置と、ユーザによって携帯される小型受信装置との距離に応じて、ユーザに通知する情報を含む通知情報を送信する前記表示装置を判定する送信先判定ステップと、前記送信先判定ステップにおいて送信先と判定された前記表示装置に前記通知情報を送信する送信ステップと、を備える。
【００１７】
この発明は上述した課題を解決するためになされたもので、本発明の一態様によるプログラムは、コンピュータを、表示部を備える表示装置と、ユーザによって携帯される小型受信装置との距離に応じて、ユーザに通知する情報を含む通知情報を送信する前記表示装置を判定する送信先判定手段、前記送信先判定手段によって送信先と判定された前記表示装置に前記通知情報を送信する送信手段、として機能させるためのプログラムである。
【発明の効果】
【００１８】
本発明によれば、ユーザ端末への着信や受信したメッセージに関する情報をユーザにわかりやすく通知することができる。
【図面の簡単な説明】
【００１９】
【図１】本発明の一実施形態に係る情報送信システムの構成の一例を示す図である。
【図２】本発明の一実施形態に係る情報送信システムの処理フローの一例を説明するためのシーケンス図である。
【図３】本発明の一実施形態に係る携帯電話端末の機能構成の一例を示すブロック図である。
【図４】本発明の一実施形態に係る携帯電話端末のメッセージ制御部の機能構成の一例を示すブロック図である。
【図５】本発明の一実施形態に係る表示装置の機能構成の一例を示すブロック図である。
【図６】本発明の一実施形態に係る小型受信装置の機能構成の一例を示すブロック図である。
【図７】本発明の一実施形態に係る通知情報を通知する態様の設定方法の一例について説明するためのフローチャートである。
【図８】本発明の一実施形態に係る情報送信方法の一例について説明するためのフローチャートである。
【図９】本発明の一実施形態に係る情報送信方法における一部の処理フローの詳細を説明するためのフローチャートである。
【図１０】本発明の一実施形態に係る情報送信方法における一部の処理フローの詳細を説明するためのフローチャートである。
【図１１】本発明の一実施形態に係る情報送信方法における一部の処理フローの詳細を説明するためのフローチャートである。
【図１２】本発明の一実施形態に係る情報送信方法における一部の処理フローの詳細を説明するためのフローチャートである。
【図１３】本発明の一実施形態に係る情報送信方法における一部の処理フローの詳細を説明するためのフローチャートである。
【図１４】本発明の一実施形態に係る情報送信方法における通知例を示す図である。
【図１５】本発明の第２実施形態に係る情報送信システムの処理フローの一例を説明するためのシーケンス図である。
【図１６】本発明の第２実施形態に係る情報送信方法における一部の処理フローの詳細を説明するためのフローチャートである。
【図１７】本発明の第２実施形態に係る情報送信方法における一部の処理フローの詳細を説明するためのフローチャートである。
【図１８】本発明の第３実施形態に係る情報送信方法における一部の処理フローの詳細を説明するためのフローチャートである。
【発明を実施するための形態】
【００２０】
以下では、本発明の一実施形態について、図面を参照して詳細に説明する。
図１は、本発明の一実施形態に係る情報送信システム１の構成の一例を示す図である。
図１に示す通り、情報送信システム１は、情報送信装置１００と、複数の表示装置２００，３００と、小型受信装置４００とを備える。これら情報送信装置１００と複数の表示装置２００，３００とは、それぞれ無線通信網を介して接続されている。この無線通信とは、例えば、家庭に設置された無線ＬＡＮ等である。情報送信システム１は、この無線ＬＡＮとして、例えば、Ｗｉ−Ｆｉ（登録商標）を利用可能である。また、複数の表示装置２００，３００と小型受信装置４００とは、無線通信網、例えばＢｌｕｅｔｏｏｔｈ（登録商標）を介して通信が可能である。なお、情報送信装置１００と小型受信装置４００とは、Ｗｉ−Ｆｉ（登録商標）やＢｌｕｅｔｏｏｔｈ（登録商標）を介して通信可能に接続されている場合、情報送信装置１００への電話着信やメール受信があったことやメールの本文を小型受信装置４００へ通知するものであるが、本実施形態では、情報送信装置１００と小型受信装置４００とが通信できない環境にある例（例えば、距離が離れ過ぎている状態にある例）について以下説明する。
【００２１】
情報送信装置１００は、例えば、携帯電話端末等の情報処理装置であって、以下、携帯電話端末１００と記す。なお、本発明はこれに限られず、情報送信装置１００は、パーソナルコンピュータやタブレット型の情報処理装置等であってもよい。この携帯電話端末１００は、電話機能、メール送受信機能、およびインターネット接続機能等を備える。携帯電話端末１００は、例えば、ユーザＡが所有する携帯電話端末であって、ユーザＡのメールアドレスやユーザＡの電話番号が設定されている。携帯電話端末１００は、ユーザＡのメールアドレスが送信先であるメールや、ユーザＡの電話番号が着信先である電話の発呼信号を受信し、あるいは、ユーザＡの電話番号が発信先である電話の発呼信号を送信する。
【００２２】
また、携帯電話端末１００は、インターネット等の広域通信網や電話回線網、３Ｇ網を介して、他の情報送信装置５００やＳＮＳ（ｓｏｃｉａｌ ｎｅｔｗｏｒｋｉｎｇ ｓｅｒｖｉｃｅ）サーバ（図示せず）等と接続されている。他の情報送信装置５００は、例えば、携帯電話端末等の情報処理装置であって、携帯電話端末１００のメールアドレスにメールを送信し、あるいは、携帯電話端末１００の電話番号に電話の呼び出しを行う。本実施形態において、他の情報送信装置５００を、以下、携帯電話端末５００と記す。この携帯電話端末５００は、例えば、ユーザＢが所有する携帯電話端末であって、ユーザＢのメールアドレスやユーザＢの電話番号が設定されている。
【００２３】
本実施形態において、携帯電話端末１００が携帯電話端末５００との通信やＳＮＳサーバとの通信等に関する情報、例えば、メール内容や、電話の呼び出し相手を示す情報、ＳＮＳサーバから送信されるメッセージを、携帯電話端末１００の通信に関する通知情報という。言い換えると、携帯電話端末１００の通信に関する通知情報とは、インターネットや電話回線網を介した携帯電話端末５００やＳＮＳサーバ等との通信の内容や通信履歴等を示す情報である。この携帯電話端末１００の通信に関する通知情報には、通信先が携帯電話端末１００である全ての電気通信の内容や履歴が含まれる。
携帯電話端末１００は、表示装置２００，３００のうち、ユーザＡの近くにあると推定される表示装置に対して、この通知情報を送信する。これにより、ユーザＡは、例えば、携帯電話端末５００から受信したメール情報、携帯電話端末５００から携帯電話端末１００へ電話の着信が今あること又は着信があったこと、あるいは、携帯電話端末１００が登録するＳＮＳから通知があったことを、近くの表示装置を介して知ることができる。
【００２４】
表示装置２００，３００は、ディスプレイを備える装置であって、例えば、テレビ、ＰＣ（パーソナルコンピュータ）、タブレット型の通信端末、ディジタルフォトフレーム、インテリアホン等が適用可能である。本実施形態において、この表示装置２００は、テレビである例について以下説明し、テレビ２００と記す。また、表示装置３００は、パーソナルコンピュータである例について以下説明し、ＰＣ３００と記す。
小型受信装置４００は、携帯電話端末１００の所有者であるユーザＡが身に付けている装置であって、例えば、腕時計型やクリップ型の情報処理装置である。
【００２５】
なお、本実施形態において、携帯電話端末１００と小型受信装置４００とは、同一人物の所有する装置として、事前にペアリングされているものとする。つまり、携帯電話端末１００には、ユーザＡが携帯する小型受信装置４００のデバイスアドレス（例えば、ＭＡＣアドレスやＢｌｕｅｔｏｏｔｈアドレス）が登録されている。以降はデバイスアドレスとしてＭＡＣアドレスを用いた場合を例に説明する。
【００２６】
次に、図２を参照して、本実施形態に係る情報送信システム１の処理フローの概略について説明する。図２は、本実施形態に係る情報送信システム１の処理フローの一例を説明するためのシーケンス図である。なお、本実施形態では、携帯電話端末１００の通信に関する通知情報が、携帯電話端末５００から受信したメール情報である例を用いて、以下説明する。
（ステップＳＴ１）
例えば、ユーザＢの携帯電話端末５００からユーザＡの携帯電話端末１００のメールアドレスに宛ててメール情報を送信したとする。これにより、携帯電話端末１００は、インターネットを介して、携帯電話端末５００からメール情報を受信する。携帯電話端末１００は、携帯電話端末５００と通信をした場合、この携帯電話端末５００との通信に関する通知情報を、小型受信装置４００に最も近い表示装置に送信するため、以下のような処理を実行する。
【００２７】
（ステップＳＴ２）
携帯電話端末１００は、携帯電話端末５００からメール情報を受信すると、無線ＬＡＮを介して接続されているテレビ２００およびＰＣ３００に対して、小型受信装置４００の検知を要求する要求信号を送信する。この携帯電話端末１００は、例えば、小型受信装置４００のＭＡＣアドレスの検知を指示するコマンドを発行し、テレビ２００およびＰＣ３００に送信する。
【００２８】
（ステップＳＴ３）
このテレビ２００およびＰＣ３００は、無線ＬＡＮを介して携帯電話端末１００から小型受信装置４００の検知を指示するコマンドを受信すると、Ｂｌｕｅｔｏｏｔｈ（登録商標）のＩｎｑｕｉｒｙ動作を実行する。このテレビ２００およびＰＣ３００は、例えば、ＭＡＣアドレスの送信を要求するためのＩｎｑｕｉｒｙ信号を送信する。
（ステップＳＴ４）
小型受信装置４００は、Ｉｎｑｕｉｒｙ Ｓｃａｎ動作により、テレビ２００およびＰＣ３００からのＩｎｑｕｉｒｙ信号を受信する。例えば、テレビ２００およびＰＣ３００のＢｌｕｅｔｏｏｔｈ（登録商標）の通信エリア内に小型受信装置４００が存在する場合、小型受信装置４００は、テレビ２００およびＰＣ３００からＩｎｑｕｉｒｙ信号を受信し、自身のＭＡＣアドレスを対応付けたＩｎｑｕｉｒｙ応答信号を送信する。
【００２９】
テレビ２００およびＰＣ３００は、Ｉｎｑｕｉｒｙ応答信号を受信すると、受信したＩｎｑｕｉｒｙ応答信号に対応づけられているＭＡＣアドレスが小型受信装置４００のＭＡＣアドレスであるか否かを判定する。小型受信装置４００のＭＡＣアドレスと対応付けられたＩｎｑｕｉｒｙ応答信号を受信した場合、テレビ２００およびＰＣ３００は、Ｉｎｑｕｉｒｙ応答信号を受信した小型受信装置４００からの受信強度を測定する。そして、テレビ２００およびＰＣ３００は、測定した受信強度（電波強度）と、この小型受信装置４００のＭＡＣアドレスとを対応付ける。
なお、本実施形態に係るテレビ２００やＰＣ３００は、特定の小型受信装置４００のＭＡＣアドレスに限られず、Ｉｎｑｕｉｒｙ Ｓｃａｎによって送信された全ての機器のＭＡＣアドレスと電波強度を対応付けるものであってもよい。
【００３０】
（ステップＳＴ５）
そして、携帯電話端末１００は、テレビ２００とＰＣ３００に対して、検知された小型受信装置４００との距離を示す情報の送信を要求する要求信号を送信する。この携帯電話端末１００は、例えば、情報の問い合わせを指示するコマンドを発行し、テレビ２００およびＰＣ３００に送信する。
なお、本発明はこれに限られず、携帯電話端末１００がこのコマンドを送信せずとも、テレビ２００およびＰＣ３００が、検知された小型受信装置４００との距離を示す情報を取得した場合に適宜、携帯電話端末１００に送信してもよい。
【００３１】
（ステップＳＴ６）
テレビ２００とＰＣ３００は、このコマンドを受信すると、例えば、小型受信装置４００の電波強度を示す情報と、小型受信装置４００のＭＡＣアドレスを示す情報と、自身の機器名を示す情報と、ディスプレイの表示状態を示す情報とを、携帯電話端末１００に送信する。なお、自身の機器名とは、テレビ２００やＰＣ３００の固有の機器ＩＤであってもよく、同一製品に共通の製品番号や製品名等であってもよい。また、テレビ２００およびＰＣ３００の表示状態を示す情報とは、テレビ２００およびＰＣ３００のディスプレイの電源がＯＮしている状態であるか否かを示す情報である。ディスプレイの電源がＯＮしている状態とは、何らかの画像がディスプレイに表示されている状態をいう。
【００３２】
（ステップＳＴ７）
携帯電話端末１００は、テレビ２００およびＰＣ３００から受信した情報に基づき、小型受信装置４００を検知した表示装置のうち、小型受信装置４００に最も近い表示装置を、携帯電話端末５００から受信したメール情報（通知情報）の送信先と判定する。この携帯電話端末１００は、通知情報の送信先と判定した表示装置に対してのみ、通知情報を送信する。
【００３３】
本実施形態において、携帯電話端末１００は、受信した小型受信装置４００の電波強度を示す情報に基づき、テレビ２００と小型受信装置４００との距離と、ＰＣ３００と小型受信装置４００との距離とを比較して、どちらの距離が短いか（近いか）を判定する。つまり、携帯電話端末１００は、テレビ２００から受信した電波強度と、ＰＣ３００から受信した電波強度を比較して、電波強度の強い方が小型受信装置４００に近いと判定する。本実施形態において、テレビ２００の方がＰＣ３００に比べて、小型受信装置４００に近いとする。この場合、テレビ２００から受信した電波強度の方が、ＰＣ３００から受信した電波強度よりも強いため、携帯電話端末１００は、受信したメール情報の送信先をテレビ２００と判定する。そして、携帯電話端末１００は、送信先と判定したテレビ２００にのみ、無線ＬＡＮを介してメール情報を送信する。言い換えると、携帯電話端末１００は、受信したメール情報をＰＣ３００には送信しない。
【００３４】
なお、本実施形態において、Ｂｌｕｅｔｏｏｔｈ（登録商標）を介して小型受信装置４００を検出する表示装置が、テレビ２００とＰＣ３００である例について説明したが、本発明はこれに限られない。例えば、Ｂｌｕｅｔｏｏｔｈ（登録商標）を介して小型受信装置４００を検出する表示装置は１つ以上であればよく、表示装置が２以上ある場合、携帯電話端末１００は、これら全ての表示装置のうち、小型受信装置４００と最も近い表示装置に対して受信したメールを送信する。なお、表示装置が１つである場合、携帯電話端末１００は、この１つの表示装置に受信したメール情報を送信する。
このように、携帯電話端末１００は、小型受信装置４００に最も近い表示装置に対して通知情報を表示させることができる。よって、小型受信装置４００を携帯するユーザＡに最も近い表示装置に対して、例えば、携帯電話端末５００から受信したメール情報を表示させることができる。従って、携帯電話端末１００の通信に関する事項を迅速にかつユーザにわかりやすく通知することができる。
【００３５】
次に、図３を参照して、携帯電話端末１００の機能構成の一例について説明する。図３は、携帯電話端末１００の機能構成の一例を示すブロック図である。
図３に示す通り、携帯電話端末１００は、制御部１０１と、無線通信部１０２と、カメラ１０３と、記憶部１０４と、操作部１０５と、メッセージ制御部１０６と、表示部１０７と、マイク１０８と、スピーカー１０９とを備える。
制御部１０１は、携帯電話端末１００を統括的に制御する制御部である。この制御部１０１は、例えば、ＣＰＵによって構成される構成部である。
無線通信部１０２は、無線通信網（３Ｇ網、無線ＬＡＮ、Ｂｌｕｅｔｏｏｔｈ（登録商標）を含む）を介してテレビ２００、ＰＣ３００、小型受信装置４００および携帯電話端末５００と情報の送受信を行う通信部である。この無線通信部１０２は、ローカルエリアの無線ＬＡＮを介して、テレビ２００およびＰＣ３００と情報の送受信を行う。また、無線通信部１０２は、Ｂｌｕｅｔｏｏｔｈ（登録商標）等を介して、小型受信装置４００と通信を行う。さらに、無線通信部１０２は、広域の無線通信網（例えば、インターネットや３Ｇ網）を介して、携帯電話端末５００やＳＮＳサーバ等と情報の送受信を行う。さらにまた、無線通信部１０２は、電話回線網を介して、携帯電話端末５００等との間に通話状態を確立させ、音声データの送受信を行う。
【００３６】
カメラ１０３は、被写体を撮像し、撮像した撮像画像を示す撮像画像データを出力する。
記憶部１０４は、携帯電話端末１００が動作するために必要なプログラムデータを記憶するとともに、カメラ１０３が撮像した撮像画像データやマイク１０８が集音した音声データ等を記憶する。この記憶部１０４は、例えば、無線通信部１０２を介して携帯電話端末５００から受信したメールの内容を示すメール情報や、携帯電話端末５００からの着信履歴を示す着信履歴情報を記憶する。このメール情報や着信履歴情報は、携帯電話端末１００の通信に関する通知情報に含まれる。
操作部１０５は、ユーザの操作を入力するボタンやタッチパネル等を含む。この操作部１０５は、ユーザから受け付けた操作内容を示す情報を制御部１０１やメッセージ制御部１０６に出力する。
【００３７】
メッセージ制御部１０６は、テレビ２００と携帯電話端末１００との距離、あるいは、ＰＣ３００と携帯電話端末１００との距離に応じて、通知情報の送信先を判定する。このメッセージ制御部１０６は、送信先と判定したテレビ２００あるいはＰＣ３００のいずれか一方に通知情報を送信する。
表示部１０７は、例えば、液晶ディスプレイであって、携帯電話端末１００による情報処理の結果を表示する。この表示部１０７は、例えば、携帯電話端末５００から受信したメールの内容を表示したり、携帯電話端末５００からの電話の着信があった場合にその旨を通知する画像を表示したりする。
マイク１０８は、通話時の音声を集音し、集音した音声データを制御部１０１に出力する。
スピーカー１０９は、例えば通話時に、携帯電話端末５００から受信した音声データに基づく音声を出力する。
【００３８】
次に、図４を参照して、本実施形態に係る携帯電話端末１００のメッセージ制御部１０６の機能構成の一例について説明する。図４は、携帯電話端末１００のメッセージ制御部１０６の機能構成の一例を示すブロック図である。このメッセージ制御部１０６は、例えばプログラムに従って動作するＣＰＵの機能処理部の一部である。
図４に示す通り、メッセージ制御部１０６は、受信部１６１と、送信部１６２と、解析部１６３とを備える。
受信部１６１は、メッセージ受信部１６１１と、情報受信部１６１２とを備え、無線通信部１０２を介した情報の受信を制御する制御部である。
メッセージ受信部１６１１は、インターネットを介して携帯電話端末５００やＳＮＳサーバ等と通信を行う。このメッセージ受信部１６１１は、例えば、携帯電話端末５００からインターネットを介して送信されるメール情報を受信する。
情報受信部１６１２は、無線ＬＡＮを介してテレビ２００およびＰＣ３００と通信を行う。この情報受信部１６１２は、例えば、テレビ２００およびＰＣ３００が検出した電波強度を示す情報を、無線ＬＡＮを介してテレビ２００およびＰＣ３００から受信する。
【００３９】
送信部１６２は、検知指示部１６２１と情報確認部１６２２とメッセージ送信部１６２３とを備え、無線通信部１０２を介した情報の送信を制御する制御部である。これら検知指示部１６２１と情報確認部１６２２とメッセージ送信部１６２３は、無線ＬＡＮを介してテレビ２００およびＰＣ３００と通信を行う。
検知指示部１６２１は、メッセージ受信部１６１１が例えば携帯電話端末５００からメール情報等の通知情報を受信すると、無線ＬＡＮで接続されているテレビ２００およびＰＣ３００に対して、小型受信装置４００の検知を指示するコマンドを送信する。
情報確認部１６２２は、例えば、小型受信装置４００の検知を指示するコマンドを送信したときから予め決められた時間が経過した場合、テレビ２００とＰＣ３００に対して、小型受信装置４００との距離を示す情報の送信を要求する要求信号を送信する。なお、予め決められた時間とは、テレビ２００およびＰＣ３００が電波強度を測定するまでに要する時間に応じて設定される。
メッセージ送信部１６２３は、解析部１６３によって、携帯電話端末５００から受信したメール情報等の通知情報の送信先が判定された場合、判定された送信先のテレビ２００あるいはＰＣ３００に対して、メッセージ受信部１６１１が受信したメール情報等の通知情報を送信する。
【００４０】
解析部１６３は、送信先判定部１６３１と表示内容決定部１６３２とメッセージ内容記憶部１６３３とを備える。
送信先判定部１６３１は、情報受信部１６１２が受信した小型受信装置４００と表示装置との距離を示す情報、例えば、表示装置（テレビ２００およびＰＣ３００）が検出した電波強度を示す情報に基づき、メッセージ受信部１６１１が受信したメール情報等の通知情報の送信先を判定する。
この送信先判定部１６３１による判定方法には様々な方法が適用可能であるが、例えば、以下のような方法を適用することができる。
例えば、送信先判定部１６３１は、テレビ２００から受信した電波強度を示す情報と、ＰＣ３００から受信した電波強度を示す情報とを比較して、最も強い電波強度を示す情報を送信した方の表示装置を、メール情報の送信先と判定する。
【００４１】
また、送信先判定部１６３１は、受信した電波強度を示す情報に基づき、小型受信装置４００との距離を算出して、小型受信装置４００に最も近い表示装置をメール情報の送信先と判定してもよい。
さらに、送信先判定部１６３１は、テレビ２００やＰＣ３００が電波強度以外の情報、例えば、小型受信装置４００と表示装置との距離を示す情報を取得した場合、この情報に基づき、小型受信装置４００と最も近い表示装置を送信先として判定するものであってもよい。
【００４２】
さらにまた、送信先判定部１６３１は、以下に説明するようなユーザと表示装置との距離を示す情報をテレビ２００やＰＣ３００から取得した場合、この情報に基づき、ユーザと最も近い表示装置を送信先として判定するものであってもよい。例えば、テレビ２００およびＰＣ３００に赤外線センサーや超音波センサーあるいはカメラが取り付けられている場合、送信先判定部１６３１は、これらセンサーの検出結果やカメラで撮像された撮像画像に基づき、人が近くにいる表示装置を判定してもよい。この場合、送信先判定部１６３１は、人との距離が最も近い表示装置を通知情報の送信先と判定してもよい。また、送信先判定部１６３１は、これらセンサーの検出結果やカメラで撮像された撮像画像に基づき、テレビ２００およびＰＣ３００の近くに居る人物がユーザＡであるか否かを判定した上で、ユーザＡの最も近くにある表示装置を判定するものであってもよい。
例えば、ユーザＡの画像特徴量が携帯電話端末１００の記憶部１０４に登録されている場合、送信先判定部１６３１は、この画像特徴量を参照して、テレビ２００およびＰＣ３００によって撮像された撮像画像内にユーザＡが含まれているか否かを判定するものであってもよい。また、ユーザＡの身長や体型の特徴量が携帯電話端末１００の記憶部１０４に登録されている場合、送信先判定部１６３１は、この特徴量を参照して、赤外線センサーや超音波センサーによって検出された人物の大きさとユーザＡが一致あるいは類似するか否かを判定するものであってもよい。
【００４３】
表示内容決定部１６３２は、メッセージ内容記憶部１６３３を参照して、送信先判定部１６３１によって判定された送信先に送信する通知情報の内容（通知態様）を決定する。
メッセージ内容記憶部１６３３は、事前に設定される設定情報を記憶する記憶領域である。このメッセージ内容記憶部１６３３は、例えば、送信先判定部１６３１によって判定された送信先の表示装置に送信する通知情報の通知態様を決定するための設定情報を記憶する。
【００４４】
次に、図５を参照して、本実施形態に係る表示装置の機能構成の一例について説明する。図５は、表示装置の機能構成の一例を示すブロック図である。なお、この表示装置の機能構成は、テレビ２００およびＰＣ３００の機能構成の一例であり、表示装置２００（テレビ２００）を例に以下説明する。よって、ＰＣ３００の機能構成については、テレビ２００と同様であるため、説明を省略する。
図５に示す通り、テレビ２００は、制御部２０１と、無線通信部２０２と、記憶部２０４と、表示部２０５と、操作部２０６と、検知部２０７と、報知部２０８とを備える。
制御部２０１は、テレビ２００を統括的に制御する制御部である。この制御部２０１は、例えば、ＣＰＵによって構成される構成部である。
無線通信部２０２は、Ｗｉ−Ｆｉ（登録商標）等の無線通信網を介して携帯電話端末１００と通信を行う通信部である。また、無線通信部２０２は、Ｂｌｕｅｔｏｏｔｈ（登録商標）等を用いて、小型受信装置４００と通信を行う通信部である。
【００４５】
記憶部２０４は、テレビ２００が動作するために必要なプログラムデータを記憶する。
表示部２０５は、例えば、液晶ディスプレイであって、放送されているテレビ映像やＤＶＤ再生画像等を表示する。また、表示部２０５は、携帯電話端末１００から通知情報を受信した場合、受信した通知情報を表示する。この場合、表示部２０５は、テレビ映像等が表示されている場合、このテレビ映像の上に重畳して通知情報を表示してもよく、テレビ映像の外縁部に通知情報を表示してもよい。
操作部２０６は、ユーザの操作を入力するボタンやタッチパネルあるいはリモコン等を含む。この操作部２０６は、ユーザから受け付けた操作内容を示す情報を制御部２０１に出力する。
検知部２０７は、周辺の他の機器から受信する信号の受信強度（電波強度）を測定し、小型受信装置４００から受信した信号（例えばデバイスアドレス）と測定した電波強度を対応付ける。
報知部２０８は、スピーカーや発光部を含む構成であって、音や光等によってユーザに通知情報を受信したことを報知する。この報知部２０８は、携帯電話端末１００で設定された設定内容に従って、通知情報に応じた報知方法により、ユーザに通知情報を受信したことを報知する。例えば、通知情報がメール情報であるときに、音と光でメール情報を受信したことを報知するということが設定されている場合、無線通信部２０２は、携帯電話端末１００から、メール情報を受信するとともに、音と光で報知することを指示するコマンドを受信する。報知部２０８は、無線通信部２０２を介して受信したコマンドに従って、音と光でメール情報を受信したことをユーザに報知する。
【００４６】
次に、図６を参照して、本実施形態に係る小型受信装置４００の機能構成の一例について説明する。図６は、小型受信装置４００の機能構成の一例を示すブロック図である。
図６に示す通り、小型受信装置４００は、制御部４０１と、記憶部４０２と、操作部４０４と、表示部４０５と、報知部４０６とを備える。
制御部４０１は、小型受信装置４００を統括的に制御する制御部である。この制御部４０１は、例えば、ＣＰＵによって構成される構成部である。
無線通信部４０２は、Ｗｉ−Ｆｉ（登録商標）や、Ｂｌｕｅｔｏｏｔｈ（登録商標）等の無線通信網を介して携帯電話端末１００と通信を行う通信部である。また、Ｂｌｕｅｔｏｏｔｈ（登録商標）等を用いて、テレビ２００やＰＣ３００と通信を行う通信部である。
操作部４０４は、ユーザの操作を入力するボタンやタッチパネル等を含む。この操作部４０４は、ユーザから受け付けた操作内容を示す情報を制御部４０１に出力する。
表示部４０５は、例えば、液晶ディスプレイである。
【００４７】
報知部４０６は、スピーカーや発光部を含む構成であって、音や光等によってユーザに通知情報を受信したことを報知する。この報知部４０６は、携帯電話端末１００で設定された設定内容に従って、通知情報に応じた報知方法により、ユーザに通知情報を受信したことを報知する。例えば、通知情報がメール情報であるときに、小型受信装置４００は音と光と振動でメール情報を受信したことを報知するということが設定されている場合、無線通信部４０２は、携帯電話端末１００から、音と光と振動で報知することを指示するコマンドを受信する。報知部４０６は、無線通信部４０２を介して受信したコマンドに従って、音と光と振動でメール情報を受信したことユーザに報知する。なお、無線通信部４０２は、携帯電話端末１００から、小型受信装置４００に対する報知方法を指示するコマンドを受信するとともに、メール情報を受信してもよい。この場合、表示部４０５は、受信したメール情報を表示することができる。
記憶部４０７は、小型受信装置４００が動作するために必要なプログラムデータを記憶する。
【００４８】
次に、図７を参照して、本実施形態に係る携帯電話端末１００における通知情報を通知する態様の設定方法の一例について説明する。図７は、本実施形態に係る携帯電話端末１００における通知情報を通知する態様の設定方法の一例について説明するためのフローチャートである。
（ステップＳＴ１１）
携帯電話端末１００の制御部１０１は、通知情報の通知態様を設定するための設定アプリケーションのプログラムを記憶部１０４から読み出し、読み出したプログラムを実行する。これにより、設定アプリケーションが起動する。
（ステップＳＴ１２）
そして、制御部１０１は、携帯電話端末１００が自宅の無線ＬＡＮに接続されている状態であるか否かを判定する。
【００４９】
（ステップＳＴ１３）
携帯電話端末１００が自宅の無線ＬＡＮに接続されている場合、制御部１０１は、この無線ＬＡＮに接続されている表示装置を検索する。無線ＬＡＮに接続されている表示装置を検出した場合、制御部１０１は、例えば、この無線ＬＡＮに接続されている表示装置を示す情報を表示部１０７に表示する。本実施形態において、テレビ２００とＰＣ３００とが無線ＬＡＮに接続されている。よって、制御部１０１は、テレビ２００とＰＣ３００を示す情報を表示部１０７に表示する（なお、無線ＬＡＮに携帯電話端末１００やテレビ２００やＰＣ３００を接続する手順については一般的な技術が利用できるため、詳細な説明は省略する）。これにより、ユーザＡは、携帯電話端末１００が携帯電話端末５００からメール情報等の通知情報を受信した場合に、この通知情報を送信する送信先をテレビ２００およびＰＣ３００の両方あるいはいずれか一方に決定することができるとともに、選択したテレビ２００およびＰＣ３００に対する通知情報の通知態様の詳細について設定することができる。なお、本実施形態において、通知情報の通知態様の設定は、表示装置ごとに行う。ここで携帯電話端末１００や表示装置が自宅の無線ＬＡＮに接続されていない場合、制御部１０１は、その他の表示装置を表示させる。その他の表示装置についてはテレビ２００等と同様に設定ができるものとし、以降、その他の表示装置についての説明は省略する。
【００５０】
（ステップＳＴ１４）
そして、表示部１０７に表示されているテレビ２００とＰＣ３００のうち、携帯電話端末１００の通信に関する通知情報の送信先が、操作部１０５を介してユーザＡから選択されたとする。この場合、制御部１０１は、操作部１０５を介して選択されたテレビ２００あるいはＰＣ３００を、携帯電話端末１００の通信に関する通知情報の送信先として登録する。
例えば、テレビ２００が選択された場合、制御部１０１は、携帯電話端末１００の通信に関する通知情報の送信先としてテレビ２００をメッセージ内容記憶部１６３３に登録するとともに、このテレビ２００に通知情報を送信する際の詳細事項の設定処理を以下の通り実行する。
【００５１】
（ステップＳＴ１５）
制御部１０１は、例えば、テレビ２００に送信する通知情報の送信元を指定するか否かを選択する選択項目を表示部１０７に表示させる。ユーザＡは、この表示部１０７の表示画面を参照して、操作部１０５を介して、通知情報をテレビ２００に送信する特定のユーザを選択することができる。また、ユーザＡは、操作部１０５を介して、特定のユーザから受信したメール情報や着信情報をテレビ２００に転送しないことを設定することもできる。
【００５２】
さらに、制御部１０１は、通知情報をテレビ２００に転送する際に、テレビ２００から出力させる出力態様（文章、画像、音、光等）について詳細に設定する選択項目を表示部１０７に表示させる。ユーザＡは、この表示部１０７の表示画面を参照して、操作部１０５を介して、テレビ２００が携帯電話端末１００から通知情報を受信した場合、通知情報を受信したことを文章、画像、音、光等で通知するか否かを設定することができる。また、ユーザＡは、操作部１０５を介して、通知する文章の内容を自分で入力したり、プリセットの文章の中から選択したりできる。さらに、ユーザＡは、操作部１０５を介して、通知情報の送信元を示す画像にカメラ１０３で撮像した画像を用いたり、通知情報の送信元を示すアバター画像やアイコン画像を用いたりしてそれらを表示するように選択できる。なお、この送信元を示す画像やアバター画像やアイコン画像は、電話帳データベースに既に登録されているものを利用したり、インターネットを用いてダウンロードしたものを利用したりできる。また、ユーザＡは、操作部１０５を介して、通知する音をプリセットから選択したり、通知する音声を自分で登録したりできる。さらに、ユーザＡは、操作部１０５を介して、通知する光のパターン（点滅あるいは点灯もしくはその色の組み合わせ等）を選択できる。
【００５３】
また、制御部１０１は、携帯電話端末５００から受信した通知情報の内容をテレビ２００に送信するか否かを設定する選択項目を表示部１０７に表示させる。ユーザＡは、例えば、この表示部１０７の表示画面を参照して、操作部１０５を介して、携帯電話端末１００がメール情報を受信したことだけをテレビ２００に通知し、そのメールの内容はテレビ２００に転送しないことを設定することができる。テレビ２００には、携帯電話端末１００がメールを受信したことだけが表示され、そのメールの内容は非表示とすることができる。
さらに、制御部１０１は、携帯電話端末５００から受信した通知情報をテレビ２００に再生する時間を設定するための選択項目を表示部１０７に表示させる。ユーザＡは、この表示部１０７の表示画面を参照して、操作部１０５を介して、携帯電話端末１００から受信した情報をテレビ２００に再生する時間を設定することができる。
また、制御部１０１は、携帯電話端末５００から受信した通知情報を小型受信装置４００に表示できない場合に、テレビ２００やＰＣ３００に表示するか否かを選択するための選択項目を表示部１０７に表示させる。ユーザＡは、この表示部１０７の表示画面を参照して、操作部１０５を介して、携帯電話端末５００から受信した通知情報を小型受信装置４００に表示できない場合にテレビ２００やＰＣ３００に表示するか否かを選択して設定することができる。
【００５４】
（ステップＳＴ１６）
そして、制御部１０１は、ステップＳＴ１５において設定された詳細設定を示す情報をメッセージ内容記憶部１６３３に登録する。
（ステップＳＴ１７）
次いで、通知態様の設定をしていない表示装置が他にある場合、制御部１０１は、ステップＳＴ１３の処理に戻って、この表示装置に対しても通知態様の設定を行う。本実施形態において、ＰＣ３００に対して通知態様の設定がまだであるため、制御部１０１は、ステップＳＴ１３に戻って、ＰＣ３００に対しての通知態様の設定を受け付ける。
一方、携帯電話端末１００と無線ＬＡＮで接続されている全ての表示装置に対して、通知態様の設定が終了した場合、制御部１０１は、処理を終了する。
また、テレビ２００で設定した同一内容をＰＣ３００の設定に利用させるか否かを表示部１０７に表示してユーザ選択できるようにしてもよい。さらに、デフォルトの設定値を用意しておき、それらの設定で携帯電話端末１００を利用してもよい。また、本設定後に自宅のＬＡＮに接続された表示装置はデフォルトの設定値で使用させることが望ましい。これらによりユーザが表示装置ごとにわざわざ設定する手間が省略できる。
【００５５】
（ステップＳＴ１８）
一方、ステップＳＴ１２において、携帯電話端末１００が自宅の無線ＬＡＮに接続されていない場合、携帯電話端末１００は、自宅の無線ＬＡＮに接続する設定画面を表示させ、ユーザに本装置を自宅の無線ＬＡＮに接続させるかどうかを選択させることができる。
携帯電話端末１００は、無線ＬＡＮに接続するための設定画面を表示部１０７に表示させている状態において、操作部１０５を介して無線ＬＡＮと接続する指示を受け付けた場合、無線ＬＡＮに接続させる。
【００５６】
次に、図８を参照して、本実施形態に係る携帯電話端末１００による情報送信方法の一例について説明する。図８は、本実施形態に係る携帯電話端末１００による情報送信方法の一例について説明するためのフローチャートである。なお、携帯電話端末１００が、無線ＬＡＮを介してテレビ２００およびＰＣ３００と接続されているものとする。
【００５７】
（ステップＳＴ１０１）
携帯電話端末１００は、例えば、インターネットを介して携帯電話端末５００からメール情報を受信する。具体的に説明すると、携帯電話端末１００のメッセージ制御部１０６の受信部１６１のメッセージ受信部１６１１が、無線通信部１０２を介して、メール情報を受信する。
【００５８】
（ステップＳＴ１０２）
そして、携帯電話端末１００の制御部１０１は、無線通信部１０２を介して、携帯電話端末１００から小型受信装置４００へ、Ｂｌｕｅｔｏｏｔｈ（登録商標）で、携帯電話端末１００がメールを受信したこと、もしくは携帯電話端末１００が受信したメールの内容も合わせて送信を行おうとする。しかし、携帯電話端末１００から小型受信装置４００へ送信が行えない状態である場合、つまり、携帯電話端末１００と小型受信装置４００とが通信できない状態であると判定された場合、制御部１０１は、メッセージ制御部１０６に対して、表示装置へのメール情報の通知を指示する。
一方、携帯電話端末１００から小型受信装置４００へ、Ｂｌｕｅｔｏｏｔｈ（登録商標）を介した情報の送信が可能であると判定した場合、制御部１０１は、処理を終了する。この場合、携帯電話端末１００の制御部１０１は、この小型受信装置４００に対してメール情報を送信してもよい。
なお、通知情報をテレビ２００やＰＣ３００に送信する際に、携帯電話端末１００と小型受信装置４００との通信ができない状態であることを条件にするか否かはユーザによって任意に設定可能である。
【００５９】
（ステップＳＴ１０３）
次いで、メッセージ制御部１０６の解析部１６３の表示内容決定部１６３２は、メッセージ内容記憶部１６３３を参照して、受信したメール情報の送信元のメールアドレスに基づき、受信したメール情報がテレビ２００あるいはＰＣ３００に送信する対象であるか否かを判定する。例えば、メッセージ内容記憶部１６３３において、ユーザＢのメールアドレスが、テレビ２００およびＰＣ３００に転送することが登録されているとする。この場合、表示内容決定部１６３２は、携帯電話端末５００から受信したメール情報は、テレビ２００およびＰＣ３００に送信する通知情報の対象であると判定する。
【００６０】
（ステップＳＴ１０４）
受信したメール情報が、テレビ２００およびＰＣ３００のうち少なくもいずれか一方に送信する通知情報の対象であると判定された場合、メッセージ制御部１０６の送信部１６２の検知指示部１６２１は、小型受信装置４００のＭＡＣアドレスの検知を指示するコマンドを発行し、無線ＬＡＮで接続されているテレビ２００およびＰＣ３００に送信する。
【００６１】
（ステップＳＴ１０５）
そして、テレビ２００およびＰＣ３００は、小型受信装置４００からの電波強度を測定し、測定結果を携帯電話端末１００に送信する。携帯電話端末１００は、電波強度を示す情報を、テレビ２００およびＰＣ３００のそれぞれから受信する。ここで携帯電話端末１００は、電波強度を示す情報以外に、小型受信装置４００のＭＡＣアドレスを示す情報と、テレビ２００やＰＣ３００自身の機器名を示す情報と、ディスプレイの表示状態を示す情報をテレビ２００やＰＣ３００から受信しておいてもよい。
【００６２】
（ステップＳＴ１０６）
そして、携帯電話端末１００は、テレビ２００およびＰＣ３００のうち、小型受信装置４００を検知した表示装置を検索する。例えば、携帯電話端末１００は、小型受信装置４００のＭＡＣアドレスが対応付けられた電波強度を示す情報を送信した表示装置を検索する。なお、テレビ２００およびＰＣ３００が小型受信装置４００のＭＡＣアドレスに基づき小型受信装置４００からの電波強度を測定し、測定結果を小型受信装置４００に送信している場合、携帯電話端末１００は、この電波強度の測定結果を送信した表示装置が小型受信装置４００を検知した表示装置であると判定することができる。
【００６３】
（ステップＳＴ１０７）
次いで、携帯電話端末１００のメッセージ制御部１０６の解析部１６３の送信先判定部１６３１は、テレビ２００とＰＣ３００から受信した電波強度を示す情報に基づき、通知情報の送信先を判定する。例えば、送信先判定部１６３１は、テレビ２００を通知情報の送信先と判定したとする。
そして、解析部１６３の表示内容決定部１６３２は、メッセージ内容記憶部１６３３を参照して、送信先として判定したテレビ２００に通知情報を送信する際の通知態様を決定する。
【００６４】
（ステップＳＴ１０８）
次いで、制御部１０１は、テレビ２００およびＰＣ３００から受信している表示状態を示す情報に基づき、携帯電話端末５００から受信したメール情報等を含む通知情報の送信先として決定されたテレビ２００が表示状態であるか否かを判定する。
（ステップＳＴ１０９）
テレビ２００が表示状態でない場合、制御部１０１は、テレビ２００のディスプレイの電源をＯＮするコマンドを発行する。
【００６５】
（ステップＳＴ１１０）
そして、携帯電話端末１００のメッセージ制御部１０６の送信部１６２のメッセージ送信部１６２３は、ステップＳＴ１０７において通知情報の送信先として決定されたテレビ２００に対して、このテレビ２００に携帯電話端末５００から受信したメール情報を送信する通知態様に従って、通知情報を送信する。なお、ステップＳＴ１０９においてディスプレイの電源をＯＮするコマンドが生成されている場合、メッセージ送信部１６２３は、このコマンドもテレビ２００に送信する。
【００６６】
（ステップＳＴ１１１）
次いで、制御部１０１は、メッセージ制御部１０６が送受信した情報の送受信履歴を示す情報を、記憶部１０４に登録する。本実施形態において、制御部１０１は、例えば、現在時刻を示す情報とともに、携帯電話端末５００からメール情報を受信したことを示す情報と、このメール情報をテレビ２００に送信したことを示す情報とを、それぞれ対応付けて、記憶部１０４に登録する。
また、ステップＳＴ１０３で特定のアドレスで無かった場合は、制御部１０１は、履歴として特定のアドレスでなかったため送信しなかったことを記憶部１０４に登録する。
また、本発明はこれに限られず、制御部１０１は、通知情報を表示装置に表示した後のユーザＡからの操作指示の履歴を、記憶部１０４に登録しておくものであってもよい。例えば、通知情報として、先に、メール内容を表示部２０５に表示するか否かを選択するための選択欄がテレビ２００に表示されたとする。ここで、ユーザＡからメール内容を表示部２０５に表示することを指示する操作がテレビ２００に入力されたとする。この場合、テレビ２００は、この操作内容を示す情報を携帯電話端末１００に送信する。携帯電話端末１００は、この操作内容を示す情報を、操作指示の履歴として、記憶部１０４に登録する。
【００６７】
次に、図９を参照して、図８において説明したフローチャートのステップＳＴ１０１の処理について詳細に説明する。図９は、本実施形態に係る情報送信方法における一部の処理フローの詳細を説明するためのフローチャートである。
（ステップＳＴ１０１１）
例えば、携帯電話端末５００は、インターネットを介して、携帯電話端末１００にメール情報を送信する。
（ステップＳＴ１０１２）
そして、携帯電話端末１００のメッセージ制御部１０６の受信部１６１のメッセージ受信部１６１１は、無線通信部１０２を介して、携帯電話端末５００からメール情報を受信する。
【００６８】
次に、図１０を参照して、図８において説明したフローチャートのステップＳＴ１０５の処理について詳細に説明する。図１０は、本実施形態に係る情報送信方法における一部の処理フローの詳細を説明するためのフローチャートである。
（ステップＳＴ１０５１）
テレビ２００およびＰＣ３００は、周辺の小型受信装置４００の有無を確認する。具体的に説明すると、テレビ２００およびＰＣ３００は、無線ＬＡＮを介して小型受信装置４００の検知を指示するコマンドを携帯電話端末１００から受信すると、Ｂｌｕｅｔｏｏｔｈ（登録商標）のＩｎｑｕｉｒｙ動作を実行し、例えば、ＭＡＣアドレスの送信を要求するためのＩｎｑｕｉｒｙ信号を小型受信装置４００に送信する。
（ステップＳＴ１０５２）
そして、小型受信装置４００は、Ｉｎｑｕｉｒｙ Ｓｃａｎ動作により、テレビ２００およびＰＣ３００からのＩｎｑｕｉｒｙ信号を受信する。小型受信装置４００は、Ｉｎｑｕｉｒｙ信号を受信すると、自身のＭＡＣアドレスを対応付けたＩｎｑｕｉｒｙ応答信号を送信する。
（ステップＳＴ１０５３）
テレビ２００およびＰＣ３００は、Ｉｎｑｕｉｒｙ応答信号を受信すると、受信したＩｎｑｕｉｒｙ応答信号に対応づけられているＭＡＣアドレスが小型受信装置４００のＭＡＣアドレスであるか否かを判定する。小型受信装置４００のＭＡＣアドレスと対応付けられたＩｎｑｕｉｒｙ応答信号を受信した場合、テレビ２００およびＰＣ３００は、この小型受信装置４００のＭＡＣアドレスと測定した電波強度を対応付ける。
【００６９】
次に、図１１を参照して、図８において説明したフローチャートのステップＳＴ１０６の処理について詳細に説明する。図１１は、本実施形態に係る情報送信方法における一部の処理フローの詳細を説明するためのフローチャートである。
（ステップＳＴ１０６１）
携帯電話端末１００のメッセージ制御部１０６の送信部１６２の情報確認部１６２２は、例えば、検知指示部１６２１が小型受信装置４００の検知を指示するコマンドを送信したときから予め決められた時間が経過したか否かを判定する。この予め決められた時間が経過したと判定した場合、情報確認部１６２２は、テレビ２００とＰＣ３００に対して、電波強度を示す情報の送信を要求する要求信号を送信する。つまり、携帯電話端末１００は表示装置に情報の問い合わせを行う。
（ステップＳＴ１０６２）
テレビ２００とＰＣ３００は、この要求信号を受信すると、例えば、電波強度を示す情報と、小型受信装置４００のＭＡＣアドレスを示す情報と、自身の機器名を示す情報と、ディスプレイの表示状態を示す情報とを、携帯電話端末１００に送信する。
（ステップＳＴ１０６３）
そして、携帯電話端末１００のメッセージ制御部１０６の受信部１６１の情報受信部１６１２は、電波強度を示す情報と、小型受信装置４００のＭＡＣアドレスを示す情報と、自身の機器名を示す情報と、ディスプレイの表示状態を示す情報とを、それぞれ、無線ＬＡＮを介してテレビ２００およびＰＣ３００から受信する。
【００７０】
次に、図１２を参照して、図８において説明したフローチャートのステップＳＴ１０７の処理について詳細に説明する。図１２は、本実施形態に係る情報送信方法における一部の処理フローの詳細を説明するためのフローチャートである。
（ステップＳＴ１０７１）
携帯電話端末１００のメッセージ制御部１０６の解析部１６３の送信先判定部１６３１は、テレビ２００とＰＣ３００から受信した電波強度を示す情報に基づき、最も小型受信装置４００に近い表示装置を通知情報の送信先として判定する本実施形態において、送信先判定部１６３１は、ＰＣ３００よりも小型受信装置４００に近いテレビ２００を、携帯電話端末５００から通知情報の送信先と判定する。
（ステップＳＴ１０７２）
そして、解析部１６３の表示内容決定部１６３２は、メッセージ内容記憶部１６３３を参照して、送信先として判定したテレビ２００にユーザＢからのメール情報を通知するため、通知情報の通知態様を示した設定値を読み出す。
【００７１】
次に、図１３を参照して、図８において説明したフローチャートのステップＳＴ１１０の処理について詳細に説明する。図１３は、本実施形態に係る情報送信方法における一部の処理フローの詳細を説明するためのフローチャートである。
（ステップＳＴ１１０１）
そして、携帯電話端末１００のメッセージ制御部１０６の送信部１６２のメッセージ送信部１６２３は、ステップＳＴ１０７１において通知情報の送信先として決定されたテレビ２００に対して、例えば携帯電話端末５００から受信したメール情報を送信する。この際、メッセージ送信部１６２３は、ステップＳＴ１０７２において読み出した通知態様の設定値に基づき、メール情報をテレビ２００に通知する際の通知態様を指示する付属情報（コマンド）をメール情報とともにテレビ２００に送信するものであってもよい。
（ステップＳＴ１１０２）
テレビ２００は、携帯電話端末１００から受信した情報を自身のディスプレイに表示させる。具体的説明すると、テレビ２００は、携帯電話端末１００から受信したコマンドに従って、受信したメール情報をディスプレイに表示させる。
【００７２】
ここで、図１４を参照して、テレビ２００に表示される通知情報の一例について説明する。図１４は、テレビ２００に表示される通知情報の一例を説明するための図である。
例えば、テレビ２００は、携帯電話端末１００から受信した通知情報に基づき、携帯電話端末５００からのメール情報を携帯電話端末１００が受信したことを表示部２０５に表示する。具体的に説明すると、図示の通り、テレビ２００は、携帯電話端末５００のユーザＢの顔画像あるいはアバター画像として予め登録されている画像を表示するとともに、「着信メールがあります。」と表示する。これとともに、テレビ２００は、メール内容を表示部２０５に表示するか否かを選択するための選択欄「本文表示」を表示する。また、テレビ２００は、メール内容を確認しないで、表示部２０５に表示された通知情報を消去するか否かを選択するための選択欄「メッセージ消去」を表示する。
「本文表示」が選択された場合、テレビ２００は、メール内容「パパです。今駅だけど、何か買って帰る物ある？」を表示部２０５に表示する。
このように、通知情報として、メール受信を通知し、そのメール内容を表示することが指示された場合に表示するというような通知態様は、ユーザによって任意に設定可能である。
【００７３】
上述の通り、携帯電話端末１００は、無線ＬＡＮによって接続されているテレビ２００やＰＣ３００に対して、小型受信装置４００を検知させる。これにより、テレビ２００およびＰＣ３００は、Ｂｌｕｅｔｏｏｔｈ（登録商標）を介して通信可能な通信エリアに存在する小型受信装置４００を検知するとともに、この小型受信装置４００との距離を示す電波強度を取得する。
これにより、携帯電話端末１００は、測定された電波強度に基づき、小型受信装置４００に最も近い表示装置を判定することができる。そして、携帯電話端末１００は、小型受信装置４００と最も近い表示装置に通知情報を送信することができる。
従って、携帯電話端末１００は、小型受信装置４００を所持しているユーザＡに近い方の表示装置に対して、通知情報を送信することができる。よって、ユーザＡが携帯電話端末１００を所持していない状態であっても、ユーザＡの最も近くにある表示装置から携帯電話端末１００がメール情報を受信したことをユーザＡに通知することができる。
言い換えると、ユーザＡから遠くにある表示装置はユーザＡが見ることができない可能性が高いため、携帯電話端末１００がメール情報を受信したことを表示させない。このように、ユーザＡが見る可能性の高い表示装置に、携帯電話端末１００がメール情報を受信したことを通知する通知情報を表示させることによって、効率よくその旨をユーザＡに知らせることができる。
【００７４】
また、ユーザＡの近くの表示装置にメール内容等を表示させることによって、ユーザＡは、携帯電話端末１００でメール内容を確認しなくても、表示装置に表示される内容を見るだけで、そのメール内容を確認することができる。よって、ユーザＡの近くに携帯電話端末１００がない場合であっても、迅速にメール内容を確認することができるとともに、ユーザＡが携帯電話端末１００を介して受信したメール情報を確認する手間が省ける。
【００７５】
さらに、小型受信装置４００が携帯電話端末１００とＢｌｕｅｔｏｏｔｈ（登録商標）で通信可能な環境にない場合、携帯電話端末１００から小型受信装置４００に通知情報を送信できない。また、小型受信装置４００の表示画面が小さいため、メール文書が長い場合や写真が添付されている場合は、小型受信装置４００の小さい表示画面では見にくくなる。このような場合、携帯電話端末１００が受信した情報を、小型受信装置４００よりも大きな画面で、かつ、ユーザＡが近くにいる可能性の高い表示装置に表示させることによって、ユーザＡは、携帯電話端末１００が受信した情報を確認し易くなる。
【００７６】
また、テレビ２００およびＰＣ３００は、Ｉｎｑｕｉｒｙ応答信号を小型受信装置４００から受信すると、このＩｎｑｕｉｒｙ応答信号に対応付けられているＭＡＣアドレスと電波強度とを対応付ける。従って、小型受信装置４００との電波強度を携帯電話端末１００から要求された際に小型受信装置４００の電波強度を検出することができれば十分であって、テレビ２００およびＰＣ３００が、Ｉｎｑｕｉｒｙを繰り返し送信しなくてすむ。
【００７７】
さらに、携帯電話端末１００は、メールの内容や、メールの送信元、あるいは、電話の着信相手に応じて、通知情報の通知態様を決定することができる。この通知情報の通知態様は、ユーザが任意に設定可能である。よって、ユーザの利用シーンに応じて、通知情報の内容や通知方法については、自由に決定することができる。また、通知情報の通知態様については、表示装置ごとに決定することができる。これにより、表示装置の設定されている場所やディスプレイの大きさに応じて、各表示装置に通知する通知情報の通知態様をユーザが任意に設定することができる。このように、通知態様をユーザが任意に設定できることにより、本実施形態に係る情報送信方法の適用シーンが広がることに役立つ。
【００７８】
また、携帯電話端末１００は、テレビ２００およびＰＣ３００の表示状態がＯＮでない場合、電源のＯＮを指示するコマンドをテレビ２００およびＰＣ３００に送信する。これにより、利用されていない表示装置であって、ユーザＡの近くにある表示装置に対して、通知情報を表示させることができる。
【００７９】
さらに、携帯電話端末１００は、携帯電話端末１００と小型受信装置４００とが通信できない状態であって、テレビ２００やＰＣ３００と通信できる状態であれば、ユーザに最も近い表示装置に通知情報を表示させることができる。
【００８０】
なお、本発明はこれに限られず、複数の小型受信装置４００がテレビ２００およびＰＣ３００とＢｌｕｅｔｏｏｔｈ（登録商標）で通信可能な状態であってもよい。この場合、小型受信装置４００と携帯電話端末１００とが事前にペアリングされていることにより、テレビ２００およびＰＣ３００は、小型受信装置４００から受信するＭＡＣアドレスに基づき、ユーザＡの近くにある表示装置を判定することができる。
【００８１】
［第２実施形態］
次に、図１５、１６、１７を参照して、本発明の第２実施形態について説明する。なお、システムの機能構成については、第１実施形態に係る情報送信システム１の機能構成を適用することができるため、情報送信システム１によって本実施形態に係る処理フローを実現する例について、以下説明する。
図１５は、本実施形態に係る情報送信システム１の処理フローの一例を説明するためのシーケンス図である。なお、ステップＳＴ１〜６までは第１実施形態に係る処理と同じ処理が適用可能であるため、詳細な説明は省略する。
【００８２】
（ステップＳＴ８）
携帯電話端末１００は、テレビ２００およびＰＣ３００から受信した情報に基づき、通知情報の送信先を判定するとともに、判定結果に基づきテレビ２００およびＰＣ３００に表示させる通知情報の通知態様を決定する。そして、携帯電話端末１００は、決定された通知態様に従って、テレビ２００およびＰＣ３００に、通知情報を送信する。本実施形態において、携帯電話端末１００は、小型受信装置４００と表示装置（テレビ２００およびＰＣ３００）との距離に応じて、テレビ２００およびＰＣ３００に表示させる情報を変える。
【００８３】
テレビ２００とＰＣ３００に表示される通知情報が異なる具定例について説明する。
例えば、小型受信装置４００からより遠い表示装置に表示する情報に比べて、小型受信装置４００により近い表示装置に表示する情報の情報量を多くするようにしてもよい。携帯電話端末５００からのメール情報を携帯電話端末１００が受信したとする。携帯電話端末１００は、例えば、小型受信装置４００に近いテレビ２００に対しては、メールの件名、メールの送信元を示すユーザＢもしくはメールアドレス、メールの受信時刻、メールに添付されている画像の有無等を表示させる。一方、小型受信装置４００から遠いＰＣ３００に対して、携帯電話端末１００は、例えば、ユーザＢからメールを受信したことだけを表示させ、メールの件名やメールの受信時刻等は表示させない。ここで、メールの送信元を示す情報は、携帯電話端末１００の電話帳にメールアドレスと人物が登録されている場合はメールアドレスから電話帳に登録されているユーザＢを関連させて表示させ、登録されていない場合はメールアドレスだけを表示させてもよい。
【００８４】
また、携帯電話端末１００は、小型受信装置４００からより遠い表示装置に簡単な情報だけを表示するようにし、小型受信装置４００により近い表示装置には具体的な情報を表示するようにしてもよい。携帯電話端末１００は、例えば、小型受信装置４００に近いテレビ２００に対しては、メールの内容を示す本文、メールに添付されている画像等を表示させる。一方、小型受信装置４００から遠いＰＣ３００に対して、携帯電話端末１００は、例えば、ユーザＢからメールを受信したことだけを表示させ、メールの内容や添付画像等は表示させない。
【００８５】
さらに、携帯電話端末１００は、複数の表示装置に同じ情報を送信するとともに、小型受信装置４００から遠い表示装置に表示する文字や画像（表示エリアを示す画像やテキスト画像やメールに添付されている画像等を含む）に比べて、小型受信装置４００に近い表示装置に表示する画像を拡大するようにしてもよい。例えば、携帯電話端末１００は、小型受信装置４００に近いテレビ２００に対してメール情報を送信する場合、このメール情報に含まれる文字や画像を拡大して表示することを指示するコマンドをテレビ２００に送信する。つまり、同じ文字列であっても、テレビ２００に表示される文字の大きさの方が、ＰＣ３００に表示される文字の大きさよりも大きい。もしくは、反対に小型受信装置４００に遠い表示装置に表示する画像を縮小するようにしてもよい。この場合は、このメール情報に含まれる文字や画像を縮小して表示することを指示するコマンドをＰＣ３００に送信する。また、これら拡大／縮小率は任意に設定できる。
【００８６】
なお、このようにして、小型受信装置４００と表示装置（テレビ２００およびＰＣ３００）との距離に応じて、テレビ２００およびＰＣ３００に表示させる情報をどのように変更するかを示す情報は、事前に登録され、メッセージ内容記憶部１６３３に登録されている。また、携帯電話端末１００は、拡大／縮小するコマンドを送信するのではなく、例えば文字であれば異なるフォントサイズを選択して登録できたり、アイコン画像やアバター画像であれば事前に用意された解像度の異なる画像を選択して登録できたりしてもよい。つまり、表示装置との距離に応じて表示装置に表示する表示サイズを変更する場合、携帯電話端末１００が、テレビ２００およびＰＣ３００に同一の表示情報とともに拡大／縮小するコマンドを送信して、表示装置側で大きさを変更するものであってもよい。また、携帯電話端末１００側で表示装置毎に表示サイズを変更し、例えば、予め異なる大きさフォントや異なる画素数の画像をテレビ２００およびＰＣ３００に送信するものであってもよい。
【００８７】
次に、図１６、１７を参照して、本実施形態に係る情報送信方法における一部の処理フローについて詳細に説明する。なお、全体的な処理フローは、第１実施形態において図８を参照して説明した方法と同じである。本実施形態では、図８において説明したステップＳＴ１０７とステップＳＴ１１０の内容が異なるため、この異なる部分について以下説明する。
はじめに、図１６を参照して、図８において説明したフローチャートのステップＳＴ１０７の処理の他の例について詳細に説明する。図１６は、本実施形態に係る情報送信方法における一部の処理フローの詳細を説明するためのフローチャートである。
【００８８】
（ステップＳＴ２０７１）
携帯電話端末１００のメッセージ制御部１０６の解析部１６３の送信先判定部１６３１は、テレビ２００とＰＣ３００から受信した電波強度を示す情報に基づき、小型受信装置４００と表示装置との距離の遠近関係を判定する。
具体的に説明すると、送信先判定部１６３１は、テレビ２００と小型受信装置４００との距離と、ＰＣ３００と小型受信装置４００との距離とを比較して、どちらの距離が短いかを判定する。この送信先判定部１６３１は、テレビ２００およびＰＣ３００が検出した電波強度のうち最も強い電波強度を検出した表示装置が小型受信装置４００と最も近い表示装置であると判定する。本実施形態において、テレビ２００が検出した小型受信装置４００のＢｌｕｅｔｏｏｔｈ（登録商標）の電波強度が最も強いとする。この場合、送信先判定部１６３１は、テレビ２００が小型受信装置４００と最も近い表示装置であると判定する。そして、送信先判定部１６３１は、次に強い電波強度の表示装置を検索する。本実施形態において、ＰＣ３００が検出した電波強度が、テレビ２００が検出した電波強度の次に強いとする。この場合、送信先判定部１６３１は、ＰＣ３００がテレビ２００の次に小型受信装置４００に近い表示装置であると判定する。
【００８９】
（ステップＳＴ２０７２）
そして、解析部１６３の表示内容決定部１６３２は、送信先判定部１６３１の判定結果に基づき、メッセージ内容記憶部１６３３を参照して、送信先として判定したテレビ２００にユーザＢからのメール情報を送信したことを通知する際の通知態様を示した設定値を読み出す。
例えば、小型受信装置４００に最も近い表示装置に対しては、メールの件名、メールの内容を示す本文、メールの送信元を示すユーザ名およびメールアドレス、メールの受信時刻、メールに添付されている画像等を表示させることがメッセージ内容記憶部１６３３に登録されているとする。また、小型受信装置４００に２番目に近い表示装置に対しては、携帯電話端末１００は、例えば、メールを受信したことと、送信元を示すユーザ名もしくはメールアドレスだけを表示させ、メールの内容や添付画像等は表示させないことがメッセージ内容記憶部１６３３に登録されているとする。
この場合、表示内容決定部１６３２は、小型受信装置４００に近いテレビ２００に対しては、メールの内容を示す本文、メールの送信元を示すユーザＢもしくはメールアドレス、メールの受信時刻、メールに添付されている画像等を表示させることを示す設定値を読み出す。また、表示内容決定部１６３２は、小型受信装置４００から遠いＰＣ３００に対して、ユーザＢからメールを受信したことと、送信元を示すユーザ名もしくはメールアドレスだけを表示させ、メールの内容や添付画像等は表示させないことを示す設定値を読み出す。
【００９０】
次に、図１７を参照して、図８において説明したフローチャートのステップＳＴ１１０の処理の他の例について詳細に説明する。図１７は、本実施形態に係る情報送信方法における一部の処理フローの詳細を説明するためのフローチャートである。
【００９１】
（ステップＳＴ２１０１）
そして、携帯電話端末１００のメッセージ制御部１０６の送信部１６２のメッセージ送信部１６２３は、ステップＳＴ２０７１において通知情報の送信先として決定されたテレビ２００およびＰＣ３００に対して、小型受信装置４００との距離の遠近に応じた情報を、テレビ２００およびＰＣ３００のそれぞれに表示させる。具体的に説明すると、メッセージ送信部１６２３は、ステップＳＴ２０７１において取得された設定値に基づき、携帯電話端末５００から受信したメール情報のうち、テレビ２００およびＰＣ３００のそれぞれに送信する情報を抽出し、抽出した情報をテレビ２００およびＰＣ３００のそれぞれに送信する。なお、テレビ２００およびＰＣ３００に表示させる通知情報の通知態様等が、ステップＳＴ２０７１において取得された設定値に規定されている場合、メッセージ送信部１６２３は、この通知態様を示すコマンドを、抽出した情報に対応付けて、テレビ２００およびＰＣ３００に送信する。
（ステップＳＴ２１０２）
そして、テレビ２００およびＰＣ３００は、例えばコマンドに従って、受信した情報を自身の表示部２０５（ディスプレイ）にそれぞれ表示させる。
例えば、テレビ２００は、メールの件名、メールの内容を示す本文、メールの送信元を示すユーザＢもしくはメールアドレス、メールの受信時刻、メールに添付されている画像等を自身のディスプレイに表示させる。また、ＰＣ３００は、ユーザＢからメールを受信したことと、送信元を示すユーザ名もしくはメールアドレスだけを、自身のディスプレイに表示させる。
【００９２】
このように、小型受信装置４００と表示装置との距離に応じて表示装置に表示させる情報を変更させることにより、通知対象者に応じた情報を表示装置に表示させることができる。例えば、携帯電話端末１００のユーザＡがテレビ２００の近くにいる場合、携帯電話端末５００から受信したメール情報の全てをテレビ２００で表示可能とすることができる。これにより、ユーザＡは、携帯電話端末１００を確認しなくても全ての情報をテレビ２００から確認することができ、携帯電話端末１００を確認する手間が省ける。
一方、ユーザＡはＰＣ３００の近くにいないが、ユーザＣがＰＣ３００の近くにいる場合、ユーザＣは、ユーザＡの携帯電話端末１００にユーザＢからのメール受信があったことを知ることができる。よって、ユーザＡがテレビ２００に表示された通知情報に気づかない場合であっても、その旨をユーザＣがユーザＡに直接通知することができる。また、ユーザＣには、ユーザＡが受信したメール内容等を秘密にしておくこともできる。
【００９３】
また、ユーザＡの遠くにあると推定されるＰＣ３００に対しては、近くにあると推定されるテレビ２００に比べて大きな文字で通知情報を表示することにより、ユーザＡは、テレビ２００およびＰＣ３００のどちらであっても、通知情報を確認することが可能となる。例えば、最も近い表示装置の２倍の表示エリアと文字サイズで表示するようにしてもよい。この場合、ユーザＡはテレビ２００の近くに居るが、テレビ２００を見ておらず、よそ見をしている場合にユーザＡから離れたＰＣ３００に大きく表示させることで、ユーザＡがＰＣ３００の表示に気付いてメールを受信したことを確認できる可能性が高くなる。また、携帯電話端末１００の設定で表示装置に対して音や光等の報知設定を行っていない場合もユーザがメールを受信したことを確認できる可能性が高くなるので有用である。
【００９４】
なお、本実施形態において、送信先判定部１６３１は、受信した電波強度を示す情報に基づき、小型受信装置４００との距離を算出して、小型受信装置４００との距離に応じて通知情報の送信先を判定するとともに、距離に応じて通知態様を決定するようにしてもよい。
具体的に説明すると、この送信先判定部１６３１は、電波強度を示す情報に基づき、テレビ２００と小型受信装置４００との距離のレベルと、ＰＣ３００と小型受信装置４００との距離のレベルとを判定する。例えば、小型受信装置４００との距離を、“とても遠い”、“遠い”、“近い”、“とても近い”という４段階のレベルで定義したとする。この場合、“とても遠い”、“遠い”、“近い”、“とても近い”の各レベルは、それぞれ、対応する電波強度の範囲と対応づけられている。例えば、“とても遠い”レベルは電波強度が最も弱い範囲、“とても近い”レベルは電波強度が最も強い範囲とそれぞれ対応付けられている。つまり、“とても遠い”、“遠い”、“近い”、“とても近い”の各レベルは、それぞれ、段階的に異なる強さの電波強度の範囲と対応付けられており、本実施形態にでは、この順番で段階的に強くなる電波強度の範囲と対応づけられている。
【００９５】
送信先判定部１６３１は、テレビ２００およびＰＣ３００が検出した電波強度が、“とても遠い”、“遠い”、“近い”、“とても近い”の各レベルにそれぞれ対応する電波強度の範囲のいずれかに該当するか否かを判定する。そして、送信先判定部１６３１は、テレビ２００およびＰＣ３００が検出した電波強度が該当する範囲に対応するレベルを、小型受信装置４００との距離と判定する。この送信先判定部１６３１は、小型受信装置４００との距離のレベルが“とても近い”と判定された表示装置に対して、メール内容等の全ての情報を送信するとともに、“近い”と判定された表示装置に対して、メール受信を“とても近い”の２倍（または０．５倍）の表示エリアと文字サイズで通知するだけの簡単な情報を送信するものであってもよい。また、この送信先判定部１６３１は、小型受信装置４００との距離のレベルが“とても遠い”“遠い”と判定された表示装置に対しては、通知情報を送信しないようにしてもよい。
【００９６】
［第３実施形態］
次に、本発明の第３実施形態について説明する。なお、システムの機能構成については、第１実施形態に係る情報送信システム１の機能構成を適用することができるため、情報送信システム１によって本実施形態に係る処理フローを実現する例について、以下説明する。
図１８を参照して、本実施形態に係る情報送信方法における一部の処理フローについて詳細に説明する。なお、図１８に示す全体的な処理フローは、第１実施形態において図８を参照して説明した方法の応用例である。本実施形態では、図８において説明したステップＳＴ１０１〜１１１は同様であるため、異なる部分について以下説明する。
【００９７】
本実施形態において、メール情報を表示装置に表示させる場合この旨を小型受信装置４００に通知してユーザの承諾があった場合に表示装置に表示させること、あるいは、表示装置ではなく通知情報を小型受信装置４００に送信することが、通知態様の設定として、メッセージ内容記憶部１６３３に登録されているとする。
また、携帯電話端末１００が無線通信部１０２を備え、小型受信装置４００が携帯電話端末１００とＢｌｕｅｔｏｏｔｈ（登録商標）を介して接続されているとする。この場合、小型受信装置４００は、テレビ２００およびＰＣ３００のスレーブであるとともに、携帯電話端末１００のスレーブでもある。よって、小型受信装置４００は、ペアリングを切り替えることにより、テレビ２００およびＰＣ３００にＩｎｑｕｉｒｙ応答信号を送信するとともに、携帯電話端末１００から報知情報あるいは通知情報を受信することができる。ここで、小型受信装置４００と、テレビ２００およびＰＣ３００との接続はＢｌｕｅｔｏｏｔｈ（登録商標）である必要はなく、無線ＬＡＮ（商標登録）等、異なる接続であってもよい。
【００９８】
（ステップＳＴ３０２）
携帯電話端末１００と小型受信装置４００とが通信できる状態であると判定された場合、制御部１０１の解析部１６３の表示内容決定部１６３２は、メッセージ内容記憶部１６３３を参照して、通知態様の設定として、表示装置に通知情報を送信することが定められているか否かを判定する。
本実施形態では、メッセージ内容記憶部１６３３に、通知態様の設定として、通知情報を表示装置に表示させる際に、様々な内容を小型受信装置４００に通知することを設定しておくことができる。
例えば、表示装置に通知情報を表示させる場合、表示装置に通知情報が表示されることを小型受信装置４００に報知させることが設定されている。この場合、ユーザは、表示装置が通知情報を表示していることに気づかない場合であっても、小型受信装置４００からの報知により、気づくことができる。また、例えば、通知情報を表示装置に表示させてよいか否かを確認するための確認画面を小型受信装置４００に表示させること、および、通知情報を表示装置に表示させることの承諾を得た場合は表示装置に通知情報を表示させることが設定されている。この場合、ユーザは、この確認画面を介して、通知情報を表示装置に表示するか否かを選択することができる。確認画面を介してユーザが表示することを選択（承認）した場合、表示装置は通知情報を表示する。
【００９９】
（ステップＳＴ３０３〜ＳＴ３０７）
通知態様の設定として、表示装置に通知情報を送信することが定められている場合、制御部１０１は、図８を参照して説明したステップＳＴ１０２〜ＳＴ１０７と同様の処理を実行する。
（ステップＳＴ３０８）
そして、メッセージ送信部１６２３は、ステップＳＴ３０７において読み出した通知情報の通知態様を示す設定値に基づき、小型受信装置４００に対して、テレビ２００に通知情報を表示してもよいか否かを選択するための報知情報を送信する。
（ステップＳＴ３０９）
次いで、制御部１０１は、通知情報をテレビ２００に表示することを承認する指示を小型受信装置４００から受信したか否かを判定する。
例えば、小型受信装置４００は、携帯電話端末１００から受信した情報（テレビ２００に通知情報を表示してもよいか否かを選択するための報知情報）に基づき、通知情報を表示装置に表示させてよいか否かを確認するための確認画面を表示させる。テレビ２００に通知情報を表示することを承認する指示をユーザから受け付けた場合、小型受信装置４００は、テレビ２００に通知情報を表示することを承認する承認情報を携帯電話端末１００に送信する。この承認情報を受信した場合、携帯電話端末１００の制御部１０１は、テレビ２００に通知情報を表示することを承認する指示を小型受信装置４００から受信したと判定する。
なお、通知態様の設定として、小型受信装置４００から承認情報を受信せずとも表示装置に通知情報を表示することが設定されている場合、制御部１０１は、ステップＳＴ３０９の処理を省略してもよい。
【０１００】
（ステップＳＴ３１０〜ＳＴ３１２）
テレビ２００に通知情報を表示することを承認する指示を受信したと判定した場合、制御部１０１は、図８を参照して説明したステップＳＴ１０８〜ＳＴ１１０と同様の処理を実行する。  ステップＳＴ３１２の処理について具体的に説明すると、携帯電話端末１００のメッセージ制御部１０６の送信部１６２のメッセージ送信部１６２３は、ステップＳＴ３０７において通知情報の送信先として決定されたテレビ２００に対して、携帯電話端末５００から受信したメール情報を送信する。この際、メッセージ送信部１６２３は、ステップＳＴ３０７において読み出した通知情報の通知態様を示す設定値に基づき、通知情報をテレビ２００に送信する。
テレビ２００は、携帯電話端末１００から受信した情報を自身のディスプレイに表示させる。また、小型受信装置４００は、携帯電話端末１００から受信した報知情報に従って、例えば、テレビ２００に通知情報を通知することを報知部４０６から報知させてもよい。
【０１０１】
この小型受信装置４００への報知方法として、携帯電話端末１００のメッセージ送信部１６２３は、テレビ２００に通知情報を送信したことを小型受信装置４００に表示させるようにしてもよい。また、携帯電話端末１００のメッセージ送信部１６２３は、小型受信装置４００の報知部４０６から通知情報をテレビ２００に送信したことを報知するよう指示するコマンドを送信してもよい。例えば、振動や音あるいは光によって、その旨を報知させるようにしてもよい。
【０１０２】
（ステップＳＴ３１３）
一方、ステップＳＴ３０２において、通知態様の設定として、表示装置に通知情報を送信することが定められていない場合、制御部１０１の送信部１６２のメッセージ送信部１６２３は、通知情報を小型受信装置４００に送信する。
【０１０３】
上述の通り、携帯電話端末１００のメッセージ送信部１６２３は、小型受信装置４００に対して、テレビ２００に通知情報を表示してもよいか否かを選択するための報知情報を送信する。通知情報をテレビ２００に表示してもよいという回答を小型受信装置４００から得た場合、携帯電話端末１００のメッセージ送信部１６２３は、テレビ２００に対して通知情報を送信する。
このように、携帯電話端末１００は、表示装置への通知情報の表示について、小型受信装置４００を介してユーザＡに通知するものであってもよい。これにより、テレビ２００やＰＣ３００に表示された通知情報に気がつかなかった場合であっても、小型受信装置４００からの通知を受けて、ユーザＡは、メール内容をテレビ２００やＰＣ３００に表示させて確認することができるようになる。また、テレビ２００やＰＣ３００へのメール内容の表示の許可を手元の小型受信装置４００を介して指示することができるため、メールの送信相手に応じて、テレビ２００やＰＣ３００への表示の許可あるいは拒否をユーザＡが選択することができる。
【０１０４】
また、本発明はこれに限られず、テレビ２００やＰＣ３００を介して、小型受信装置４００に報知情報を送信するものであってもよい。例えば、携帯電話端末１００は、通知情報をテレビ２００に送信する場合、このテレビ２００から小型受信装置４００に対して、報知情報の送信を指示するコマンドを送信する。テレビ２００は、このコマンドを受信した場合、通知情報を表示するとともに、報知情報を小型受信装置４００に送信する。あるいは、通知情報を表示する前に、通知情報の表示の許可を求める報知情報を小型受信装置４００に送信し、小型受信装置４００から表示の許可の回答があった場合、テレビ２００が通知情報を表示する。
このようにして、テレビ２００やＰＣ３００を介して、報知情報を小型受信装置４００に送信することにより、小型受信装置４００が携帯電話端末１００と通信ができない環境であっても、本実施形態を利用することができる。
【０１０５】
［プログラムおよび記録媒体］
最後に、情報送信システム１の携帯電話端末１００とテレビ２００とＰＣ３００と小型受信装置４００に含まれている各部は、ハードウェアロジックによって構成すれば良い。または、次のように、ＣＰＵを用いてソフトウェアによって実現しても良い。
すなわち、携帯電話端末１００とテレビ２００とＰＣ３００と小型受信装置４００は、各機能を実現するプログラムの命令を実行するＣＰＵ、このプログラムを格納した、上記プログラムを実行可能な形式に展開するＲＡＭ、および上記プログラムと各種データとを格納するメモリ等の記憶装置（記録媒体）を備えている。この構成により、本発明の目的は、所定の記録媒体によっても達成できる。
この記録媒体は、上述した機能を実現するソフトウェアである携帯電話端末１００とテレビ２００とＰＣ３００と小型受信装置４００のプログラムのプログラムコード（実行形式プログラム，中間コードプログラム，ソースプログラム）をコンピュータで読み取り可能に記録していれば良い。携帯電話端末１００とテレビ２００とＰＣ３００と小型受信装置４００に、この記録媒体を供給する。これにより、コンピュータ（またはＣＰＵやＭＰＵ）が、供給された記録媒体に記録されているプログラムコードを読み出し、実行すれば良い。
【０１０６】
プログラムコードを携帯電話端末１００とテレビ２００とＰＣ３００と小型受信装置４００に供給する記録媒体は、特定の構造または種類のものに限定されない。すなわちこの記録媒体は、例えば、磁気テープまたはカセットテープ等のテープ系、フロッピー（登録商標）ディスク／ハードディスク等の磁気ディスク、またはＣＤ−ＲＯＭ／ＭＯ／ＭＤ／ＤＶＤ／ＢＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系等とすることができる。
また、携帯電話端末１００とテレビ２００とＰＣ３００と小型受信装置４００を通信ネットワークと接続可能に構成しても、本発明の目的を達成できる。この場合、上記のプログラムコードを、通信ネットワークを介して携帯電話端末１００とテレビ２００とＰＣ３００と小型受信装置４００に供給する。この通信ネットワークは、携帯電話端末１００とテレビ２００とＰＣ３００と小型受信装置４００にプログラムコードを供給できるものであれば良く、特定の種類または形態に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、または衛星通信網等であれば良い。
【０１０７】
この通信ネットワークを構成する伝送媒体も、プログラムコードを伝送可能な任意の媒体であれば良く、特定の構成または種類のものに限定されない。例えば、ＩＥＥＥ１３９４、ＵＳＢ、電力線搬送、ケーブルＴＶ回線、電話線、またはＡＤＳＬ（Asymmetric Digital Subscriber Line）回線等の有線でも、ＩｒＤＡまたはリモコンのような赤外線、Ｂｌｕｅｔｏｏｔｈ（登録商標）、８０２．１１無線、ＨＤＲ（High Data Rate）、携帯電話網、衛星回線、または地上波デジタル網等の無線でも利用可能である。なお、本発明は上記プログラムコードが電子的な伝送で具現化された、搬送波に埋め込まれたコンピュータデータ信号の形態でも実現され得る。
【符号の説明】
【０１０８】
１００・・・携帯電話端末（情報送信装置）、２００・・・テレビ（表示装置）、３００・・・ＰＣ（表示装置）、４００・・・小型受信装置、１０１・・・制御部、１０２・・・無線通信部、１０３・・・カメラ、１０４・・・記憶部、１０５・・・操作部、１０６・・・メッセージ制御部、１０７・・・表示部、１０８・・・マイク、１０９・・・スピーカー、１６１・・・受信部、１６２・・・送信部、１６３・・・解析部、１６１１・・・メッセージ受信部、１６１２・・・情報受信部、１６２１・・・検知指示部、１６２２・・・情報確認部、１６２３・・・メッセージ送信部、１６３１・・・送信先判定部、１６３２・・・表示内容決定部、１６３３・・・メッセージ内容記憶部
【図１】
2014053692.tif 000003
【図２】
2014053692.tif 000004
【図３】
2014053692.tif 000005
【図４】
2014053692.tif 000006
【図５】
2014053692.tif 000007
【図６】
2014053692.tif 000008
【図７】
2014053692.tif 000009
【図８】
2014053692.tif 000010
【図９】
2014053692.tif 000011
【図１０】
2014053692.tif 000012
【図１１】
2014053692.tif 000013
【図１２】
2014053692.tif 000014
【図１３】
2014053692.tif 000015
【図１４】
2014053692.tif 000016
【図１５】
2014053692.tif 000017
【図１６】
2014053692.tif 000018
【図１７】
2014053692.tif 000019
【図１８】
2014053692.tif 000020